(57)【要約】  【課題】逆帯電した現像剤が像担持体に供給されることによる画質の低下を防止することにある。  【解決手段】現像装置３４は、感光体ドラム３１と対向する位置に設けられた第１極３４１ｃと、第１極３４１ｃと周方向に並べて配置され第１極３４１ｃの磁極に対して逆の磁極の第２極３４１ｄとを有するローラ部材３４１ａと、ローラ部材３４１ａを覆い感光体ドラム３１に対向する位置に現像剤を搬送するためのスリーブ３４１ｂと、を有する現像ローラ３４１と、内部に現像剤を収納可能である現像容器３４２と、第２極３４１ｄに対応するスリーブ３４１ｂの位置に搬送される現像剤の層の厚さを規制する規制部材３４５とを有する。収集部材３５１は、第２極３４１ｄに対向するように配置され、逆帯電した逆帯電物を収集する。【選択図】  図２
2009300924.tif 000002
【特許請求の範囲】
【請求項１】
２成分現像剤を用いて画像形成を行う画像形成装置であって、
表面に静電潜像を担持可能な像担持体と、
前記像担持体と対向する位置に設けられた第１極と、前記第１極と周方向に並べて配置され前記第１極の磁極に対して逆の磁極の第２極とを有するローラ部材と、前記ローラ部材を覆い前記像担持体に対向する位置に現像剤を搬送するためのスリーブと、を有する現像ローラと、内部に現像剤を収納可能である現像容器と、前記第２極に対応する前記スリーブの位置に搬送される現像剤の層の厚さを規制する規制部材と、を有する現像装置と、
前記第２極に対向するように配置され、逆帯電した逆帯電物を収集する収集部材と、
を備えた画像形成装置。
【請求項２】
前記第２極は前記第１極に隣接するように配置されている、請求項１に記載の画像形成装置。
【請求項３】
前記ローラ部材は、前記第２極に隣接するように配置され、前記規制部材に対向する位置に前記第１極と同じ磁極の第３極を有する、
請求項１又は２に記載の画像形成装置。
【請求項４】
前記収集部材は導電性のフィルム部材を有しており、
前記導電性のフィルム部材に電圧を印加可能な電圧印加装置をさらに備え、
前記電圧印加装置は画像形成動作時に前記導電性のフィルム部材が前記逆帯電物を引き付けるように前記導電性のフィルム部材に電圧を印加する、
請求項１から３のいずれかに記載の画像形成装置。
【請求項５】
前記電圧印加装置は非画像形成動作時に前記導電性のフィルム部材から前記逆帯電物が離反するように前記導電性のフィルム部材に電圧を印加する、
請求項４に記載の画像形成装置。
【請求項６】
前記スリーブは表面上に磁気ブラシを形成可能な部材であり、
前記導電性のフィルム部材は前記スリーブの表面上に形成された磁気ブラシの先端に接触可能な位置に配置されている、
請求項５に記載の画像形成装置。
【請求項７】
前記導電性のフィルム部材に付着した前記逆帯電物を除去可能な除去機構をさらに有している、
請求項５又は６に記載の画像形成装置。
【請求項８】
前記除去機構は、前記帯電物を前記現像装置外に排出可能な排出ダクトを備えている、
請求項７に記載の画像形成装置。
【請求項９】
前記ローラ部材は、前記第３極に隣接するように配置され、前記現像容器に収納される現像剤を前記スリーブの表面に吸着させるための第４極をさらに有する、
請求項３に記載の画像形成装置。
【請求項１０】
前記ローラ部材は、前記第１極に隣接するように配置され、前記第２極と同じ磁極の第５極をさらに有する、
請求項３又は９に記載の画像形成装置。
【請求項１１】
前記ローラ部材は前記第１極と前記第３極との間に前記第２極のみを有している、請求項３に記載の画像形成装置。
【発明の詳細な説明】
【技術分野】
【０００１】
本発明は、画像形成装置、特に、２成分現像剤を用いて画像を形成可能な画像形成装置に関する。
【背景技術】
【０００２】
２成分現像剤を用いて画像を形成可能な画像形成装置は、画像情報に基づいて画像を形成可能な画像形成部を有している。画像形成部は、表面に静電潜像を担持可能な像担持体と、像担持体に現像剤を供給可能な現像装置とを有している。現像装置は、像担持体に対向するように配置され、複数の磁極を有するローラ部材と、ローラ部材を覆うスリーブとを有する現像ローラと、現像ローラの表面に付着した現像剤の層の厚さを規制する規制部材と、規制部材を支持し、内部に現像剤を収納可能な現像容器とを有している。
【０００３】
この画像形成装置では、現像容器内に収納される現像剤が磁極にひきつけられてスリーブ表面に付着させられる。そして、表面に現像剤が付着した状態でスリーブが回転させられる。このとき、規制部材によってスリーブの表面に付着した現像剤の層の厚さが規制される。その後、さらにスリーブが回転し、現像剤が像担持体の近傍に搬送され、像担持体に担持される静電潜像にトナーが供給される。このようにして、像担持体上に現像剤による画像が形成される（特許文献１参照）。
【０００４】
【特許文献１】特開平５−２４１４３７号
【発明の開示】
【発明が解決しようとする課題】
【０００５】
特許文献１に記載の画像形成装置のように２成分現像剤を用いて画像形成する装置では、画像形成動作を行う際にキャリアとトナーが互いに摩擦しあうことでトナーが帯電させられる。このトナーの帯電動作の際にトナーに付着する外添剤が剥離する場合がある。また、キャリアの減耗などが生じる場合がある。このように、外添剤のトナーからの剥離やキャリアの減耗が生じると、外添剤が剥離したトナーや減耗が生じたキャリアによって帯電させられる。この場合、トナーは、正規帯電極性に対して逆極性に帯電してしまう場合がある。このようにトナーが逆帯電すると、像担持体の静電潜像が担持されている位置以外の位置に逆帯電されたトナーが供給され、カブリなどが生じる。このため、画質が低下してしまう。
【０００６】
本発明の課題は、逆帯電した現像剤が像担持体に供給されることによる画質の低下を防止することにある。
【課題を解決するための手段】
【０００７】
発明１に係る画像形成装置は、２成分現像剤を用いて画像形成を行う画像形成装置であって、像担持体と、現像装置と、収集部材とを備えている。現像装置は像担持体と対向する位置に設けられた第１極と、第１極と周方向に並べて配置され第１極の磁極に対して逆の磁極の第２極とを有するローラ部材と、ローラ部材を覆い像担持体に対向する位置に現像剤を搬送するためのスリーブと、を有する現像ローラと、内部に現像剤を収納可能である現像容器と、第２極に対応するスリーブの位置に搬送される現像剤の層の厚さを規制する規制部材と、を有する。収集部材は、第２極に対向するように配置され、逆帯電した逆帯電物を収集する。
【０００８】
この画像形成装置では、現像容器の内部に収納される現像剤がスリーブに付着する。そして、スリーブの回転に伴って現像剤が搬送される。このとき、規制部材によってスリーブに付着した現像剤の層の厚さが規制される。そして、収集部材によって逆帯電した帯電物が収集される。その後、第１極側から像担持体に現像剤が供給される。
【０００９】
ここでは、規制部材によってスリーブに付着した現像剤の層の厚さが規制された後であって、かつ像担持体にトナーが供給される前に、逆帯電した逆帯電物を収集部材によって収集することができる。このため、逆帯電した現像剤が像担持体に供給されにくく、画質の低下を防止することができる。
【００１０】
発明２に係る画像形成装置は、発明１に記載の画像形成装置であって、第２極は第１極に隣接するように配置されている。
ここでは、スリーブの第２極に対応した位置に現像剤が位置している状態では正規帯電した帯電物が収集部材によってスリーブから遠い位置に移動させられる。このため、スリーブの第２極に対応した位置から第１極に対応した位置に現像剤が搬送させられる際に、スリーブ上に残留している正規帯電した帯電物はスリーブ表面近傍に移動する。従って、像担持体に逆帯電した逆帯電物を供給されにくくすることができる。このため、画質の低下を防止することができる。
【００１１】
発明３に係る画像形成装置は、発明１又は２に記載の画像形成装置であって、ローラ部材は、第２極に隣接するように配置され、規制部材に対向する位置に第１極と同じ磁極の第３極を有する。
【００１２】
ここで、第３極のスリーブに対応する位置に磁気ブラシが形成され、磁気ブラシの高さ（現像剤の層の厚さ）が規制部材によって規制される。このため、像担持体と磁気ブラシの先端との距離を一定に保つことができ、像担持体にトナーを安定して供給することができる。ここで、磁気ブラシとは、２成分現像剤に含まれるキャリアとトナーとが連続して鎖のように並ぶ状態のことをいい、現像剤の穂と称される場合もある。
【００１３】
発明４に係る画像形成装置は、発明１から３のいずれかに記載の画像形成装置であって、収集部材は導電性のフィルム部材を有している。収集部材は、導電性のフィルム部材に電圧を印加可能な電圧印加装置をさらに有している。電圧印加装置は画像形成動作時に導電性のフィルム部材が逆帯電物を引き付けるように導電性のフィルム部材に電圧を印加する。
【００１４】
ここでは、収集部材に電気的に逆帯電物が引き付けられる。
【００１５】
発明５に係る画像形成装置は、発明４に記載の画像形成装置であって、電圧印加装置は非画像形成動作時に導電性のフィルム部材から帯電物が離反するように導電性のフィルム部材に電圧を印加する。
【００１６】
ここでは、収集部材に逆帯電物質が溜まるのを防止できる。
【００１７】
発明６に係る画像形成装置は、発明５に記載の画像形成装置であって、スリーブは表面上に磁気ブラシを形成可能な部材である。導電性のフィルム部材はスリーブの表面上に形成された磁気ブラシの先端に接触可能な位置に配置されている。
【００１８】
ここでは、磁気ブラシの先端が接触可能な位置に導電性のフィルム部材が配置されているため、導電性のフィルム部材に付着した帯電物をスリーブの回転に伴って磁気ブラシによって取り除くことができる。また、磁気ブラシの先端に付着する帯電物を導電性のフィルム部材に付着させやすくなる。ここで、第２極によって帯電物は磁気ブラシの先端に集まっているため、効率よく帯電物を収集することができる。
【００１９】
発明７に係る画像形成装置は、発明５又は６に記載の画像形成装置であって、導電性のフィルム部材上の帯電物を除去可能な除去機構をさらに備えている。
【００２０】
ここでは、導電性のフィルム部材上に帯電物が溜まるのを防止できる。
【００２１】
発明８に係る画像形成装置は、発明７に記載の画像形成装置であって、除去機構は、帯電物を現像装置外に排出可能な排出ダクトを有している。
【００２２】
発明９に係る画像形成装置は、発明３に記載の画像形成装置であって、ローラ部材は、第３極に隣接するように配置され、現像容器に収納される現像剤をスリーブの表面に吸着させるための第４極をさらに有する。
【００２３】
ここでは、スリーブに現像容器内の現像剤を付着させやすくなる。
【００２４】
発明１０に係る画像形成装置は、発明３又は９に記載の画像形成装置であって、ローラ部材は、第１極に隣接するように配置され、第２極と同じ磁極の第５極をさらに有する。
【００２５】
発明１１に係る画像形成装置は、発明３に記載の画像形成装置であって、ローラ部材は第１極と第３極との間に前記第２極のみを有している。
【発明の効果】
【００２６】
本発明では、逆帯電した現像剤が像担持体に供給されることによる画質の低下を防止することができる。
【発明を実施するための最良の形態】
【００２７】
［全体構成］
以下に本発明に係る画像形成装置としての複合機１について図１を参照して説明する。ここで、図１は本発明に係る複合機１の全体概略を示すものである。この複合機１は、外部のコンピュータなどに接続され、原稿から読み取られた画像情報又はコンピュータから送られる画像情報に基づいて用紙上に２成分現像剤を用いて画像を形成することができる。
【００２８】
複合機１は原稿を複写する機能や原稿の画像情報を送信する機能等の様々な機能を有している。複合機１は、図１に示すように、原稿読み取り部２と、画像形成部３と、転写部４と、用紙収納部５と、用紙搬送部６と、定着部７と、排出部８とを備えている。以下に各機能部の構成について説明する。
【００２９】
｛原稿読み取り部｝
原稿読み取り部２は原稿の画像情報を読み取るための部分である。また、原稿読み取り部２は複合機１の上部に配置されている。
【００３０】
｛画像形成部｝
画像形成部３は画像情報に基づいて用紙上に画像を形成するための部分である。また画像形成部３は用紙収納部５と原稿読み取り部２との間に配置されている。さらに画像形成部３は、感光体ドラム３１と、帯電装置３２と、レーザユニット３３と、現像装置３４と、収集除去機構３５（図２参照）と、ドラムクリーニング装置３６とを有している。なお、現像装置３４と、収集除去機構３５とについては後に詳述する。
【００３１】
感光体ドラム３１は表面に静電潜像を担持可能な部材である。また、感光体ドラム３１は図１の紙面に垂直に伸びる回転軸周りに回転可能である。さらに、感光体ドラム３１は図１の矢印Ａ方向に回転する部材である。
【００３２】
帯電装置３２は感光体ドラム３１の表面を一様に帯電させるための装置である。また、帯電装置３２は感光体ドラム３１の上側に配置されている。具体的には、帯電装置３２は感光体ドラム３１の表面を一様にプラスに帯電させる。
【００３３】
レーザユニット３３は画像情報に基づいてレーザ光を感光体ドラム３１の表面に照射するための装置である。またレーザユニット３３は感光体ドラム３１の上側に配置されている。
【００３４】
ドラムクリーニング装置３６は現像動作に使用されずに感光体ドラム３１上に残留した現像剤をクリーニングするための装置である。
【００３５】
｛転写部｝
転写部４は画像形成部３で形成された画像を用紙に転写するための部分である。また、転写部４は転写ローラ４１を備えている。転写ローラ４１は感光体ドラム３１に対向するように配置されている。また、転写ローラ４１は感光体ドラム３１よりも径の小さいローラである。転写ローラ４１は感光体ドラム３１の回転軸と平行に設けられた回転軸を有している。転写ローラ４１には図示しない電圧印加装置が接続されている。この図示しない電圧印加装置から転写ローラ４１に電圧が印加される。
【００３６】
｛用紙収納部｝
用紙収納部５は用紙を収納するための部分である。また、用紙収納部５は複合機１の下部に配置されている。さらに用紙収納部５は複数の給紙カセット５１を有している。各給紙カセット５１にはそれぞれ異なる種類（サイズなど）の用紙が収納されている。また、複数の給紙カセット５１は積み重ねて配置されている。
【００３７】
｛用紙搬送部｝
用紙搬送部６は各機能部に用紙を搬送するための部分である。用紙搬送部６は、用紙収納部５、画像形成部４、定着部７、排出部８の順に用紙を搬送する用紙搬送経路を有している。
【００３８】
｛定着部｝
定着部７は用紙に画像を定着させるための部分である。また、定着部７は転写部４と排出部８との間に配置されている。そして、定着部７は、用紙の画像を加熱するための加熱ローラ７１と、用紙の画像を加圧するための加圧ローラ７２とを有している。
【００３９】
｛排出部｝
排出部８は用紙を複合機１の外部に排出するための部分である。また、図１に示すように、排出部８は定着部７の用紙搬送方向下流側に配置されている。そして、排出部８は、排出ローラ８１を有している。
［現像装置］
現像装置３４は、感光体ドラム３１にトナーを供給するための装置である。また、現像装置３４は感光体ドラム３１の近傍に配置されている。そして、現像装置３４は、図２に示すように、現像ローラ３４１と、現像容器３４２と、第１攪拌スクリュー３４３と、第２攪拌スクリュー３４４と、規制部材３４５とを有している。ここで、図２は現像装置３４の構成及び収集除去機構３５の構成を示す図である。
【００４０】
現像ローラ３４１は感光体ドラム３１にトナーを供給するための部材である。現像ローラ３４１は感光体ドラム３１に対向するように配置されている。そして、現像ローラ３４１は感光体ドラム３１よりも径が小さいローラである。現像ローラ３４１は、ローラ部材３４１ａと、スリーブ３４１ｂとを有している。
【００４１】
ローラ部材３４１ａは、第１極３４１ｃと、第２極３４１ｄと、第３極３４１ｅと、第４極３４１ｆと、第５極３４１ｇとを有している。
【００４２】
第１極３４１ｃは感光体ドラム３１に対向した位置で磁気ブラシを形成するための磁極である。第１極３４１ｃは感光体ドラム３１に対向する位置に配置されている。また、第１極３４１ｃはＮ極である。
【００４３】
第２極３４１ｄはスリーブ３４１ｂ上の現像剤をスリーブ３４１ｂの第１極３４１ｃに対応する位置で磁気ブラシを形成するための磁極である。第２極３４１ｄは第１極３４１ｃと周方向に並べて配置されている。第２極３４１ｄは第１極３４１ｃに隣接している。第２極３４１ｄは収集部材３５１に対向する位置に配置されている。第２極３４１ｄは第１極３４１ｃの磁極に対して逆のＳ極である。
第３極３４１ｅは第１極３４１ｃとの間に第２極３４１ｄが配置されるように配置されている。すなわち、第３極３４１ｅは第２極３４１ｄに隣接し規制部材３４５に対向する位置に配置されている。第３極３４１ｅは第１極３４１ｃと同様にＮ極である。
【００４４】
第４極３４１ｆは第３極３４１ｅに隣接している。第４極３４１ｆは第１攪拌スクリュー３４３の近傍に配置されている。第４極３４１ｆは現像容器３４２の内部に収納されている現像剤をスリーブ３４１ｂ表面に付着させるための磁極である。第４極３４１ｆはＳ極である。
【００４５】
第５極３４１ｇは第４極３４１ｆとの間で現像剤をスリーブ３４１ｂから離反させるための磁極である。すなわち、第５極３４１ｇが第４極３４１ｆと同じ磁極を有しているため、第４極３４１ｆと第５極３４１ｇとの間で反発力が発生する。この反発力によってスリーブ３４１ｂに付着した現像剤がスリーブ３４１ｂから離反する。また、第５極３４１ｇは現像容器３４２内から外部に現像剤がこぼれるのを防止するための磁極である。すなわち、第５極３４１ｇの磁界によって現像容器３４２内の現像剤が外部にこぼれるのを防止する。第５極３４１ｇは第４極３４１ｆと第１極３４１ｃとの間に配置されている。第５極３４１ｇはＳ極である。
【００４６】
スリーブ３４１ｂは感光体ドラム３１に対向する位置に現像剤を搬送するための部材である。スリーブ３４１ｂはローラ部材３４１ａの表面を覆うように配置された部材である。また、スリーブ３４１ｂは円筒状の部材である。そして、スリーブ３４１ｂは感光体ドラム３１の回転軸に平行な回転軸を中心として回転可能な部材である。そして、スリーブ３４１ｂは表面に現像剤を担持可能な部材である。スリーブ３４１ｂは図２の矢印Ｂ方向に回転する部材である。
【００４７】
現像容器３４２は、内部に２成分現像剤を収納可能な部材である。２成分現像剤は、図３に示すように、主にトナー９１とキャリア９２とを含んでいる。現像容器３４２は感光体ドラム３１側に開口を有している。この開口に現像ローラ３４１が支持されている。また、現像容器３４２は内部に仕切り板３４２ａを有している。この仕切り板３４２ａは図２の紙面に直交する方向に伸びるように配置されている。
【００４８】
第１攪拌スクリュー３４３は現像容器３４２内の現像剤を攪拌するための部材である。また、第１攪拌スクリュー３４３は現像容器３４２の内部に配置されている。第１攪拌スクリュー３４３は現像ローラ３４１の近傍に配置されている。第１攪拌スクリュー３４３は現像ローラ３４１に平行に配置されている。第１攪拌スクリュー３４３は図２の矢印Ｃ方向に回転する。
【００４９】
第２攪拌スクリュー３４４は現像容器３４２内の現像剤を攪拌するための部材である。また、第２攪拌スクリュー３４４は第１攪拌スクリュー３４３と並べて配置されている。そして第２攪拌スクリュー３４４は図２の矢印Ｄ方向に回転可能な部材である。
【００５０】
規制部材３４５はスリーブ３４１ｂに付着した現像剤の量を規制するための部材である。すなわち、スリーブ３４１ｂ上の磁気ブラシの高さを規制するための部材である。また、規制部材３４５は板状の部材である。規制部材３４５は図２の紙面に直交する方向に伸びている。規制部材３４５は現像容器３４２に支持されている。そして、規制部材３４５の現像ローラ３４１に対向する端部は現像ローラ３４１の近傍に位置している。
【００５１】
［収集除去機構］
収集除去機構３５はプラスの電荷のトナーや紙粉などを収集及び除去するための機構である。収集除去機構３５は、図２に示すように、収集部材３５１と、電圧印加装置３５２と、吸引ダクト３５３とを有している。
【００５２】
収集部材３５１は導電性のフィルム状の部材を有している。また、収集部材３５１は図２の紙面に直交する方向に伸びるように配置されている。さらに、収集部材３５１は第２極３４１ｄに対向する位置に配置されている。言い換えると、周方向において規制部材３４５と感光体ドラム３１との間に配置されている。さらに言い換えると、感光体ドラム３１の下側であって、かつ現像ローラ３４１の近傍に配置されている。収集部材３５１はスリーブ３４１ｂの曲率と同じ曲率を有している。このため、周方向において収集部材３５１とスリーブ３４１ｂとの間の距離は一定になっている。そして、収集部材３５１は、図３に示すように、スリーブ３４１ｂ上に形成された磁気ブラシの先端が接触可能な位置に配置されている。
【００５３】
電圧印加装置３５２は収集部材３５１に電圧を印加可能な部材である。電圧印加装置３５２は収集部材３５１に接続されている。そして、電圧印加装置３５２は、プラス電源３５２ａと、マイナス電源３５２ｂと、収集部材３５１に接続される電源を切り替えるスイッチ３５２ｃとを有している。ここで、電圧印加装置３５２は、プラスに帯電したトナーや紙粉の収集時、すなわち画像形成動作時には収集部材３５１はマイナス電源３５２ｂに接続されており、除去動作時にはプラス電源３５２ａに収集部材３５１が接続されるようにスイッチ３５２ｃが切り替えられる。
吸引ダクト３５３は、収集したトナーを吸引し、機外に排出するための部分である。吸引ダクト３５３は現像装置３４に近接して設けられている。吸引ダクト３５３は現像容器３４２の外面と現像容器３４２の外面から所定の間隔を開けて配置された板状部材３５３ａとの間に形成された吸引通路３５３ｂを有している。そして、吸引ダクト３５３は吸引通路３５３ｂに配置された吸引フィルタ３５３ｃを有している。この吸引フィルタ３５３ｃはトナーが付着可能な部材である。そして、吸引ダクト３５３の一端には図示しない吸引装置（ファン）が配置されている。図示しない吸引装置によって吸引ダクト３５３の他端側のトナーが吸引ダクト３５３内に吸引される。そして、吸引装置（図示せず）によって吸引ダクト３５３内に吸引されたトナーは吸引フィルタ３５３ｃに付着させられる。
なお、収集部材３５１と、プラス電源３５２ａと、吸引ダクト３５３とによって除去機構が構成されている。この除去機構では収集部材３５１にプラス電源３５２ａからプラスの電圧が印加され、スリーブ３４１ｂの回転に伴って磁気ブラシが収集部材３５１に収集されたトナーを掃き出す。そして、吸引ダクト３５３によって掃き出されたトナーを吸引する。この動作によって収集部材３５１に収集されたプラスに帯電したトナーが除去される。
【００５４】
［動作］
次に複合機１の動作について説明する。
【００５５】
原稿読み取り部２によって原稿の画像情報が読み取られる又は複合機１の外部に接続されたコンピュータから画像情報が送られると、画像情報に基づいて感光体ドラム３１上に静電潜像が形成される。具体的には、帯電装置３２によって感光体ドラム３１の表面が帯電させられ、画像情報に基づいてレーザユニット３３から感光体ドラム３１にレーザ光が照射される。このようにして感光体ドラム３１上に静電潜像が形成されると、現像装置３４からトナーが静電潜像に供給される。現像装置３４からトナーが供給されると感光体ドラム３１上にトナー像が形成される。
【００５６】
そして、各感光体ドラム３１上のトナー像が転写部４で用紙に転写される。トナー像が表面に転写された用紙は用紙搬送部６によって定着部７まで搬送される。定着部７でトナー像が用紙に定着された後、排出部８に搬送される。排出部８に搬送された用紙は複合機１外に排出される。
なお、現像装置３４から感光体ドラム３１にトナーを供給する動作及び画像形成動作の際に行われる逆帯電物を収集する動作については以下に詳述する。
［現像装置から感光体ドラムにトナーを供給する動作］
現像装置３４から感光体ドラム３１にトナーを供給する際には、先ず第２攪拌スクリュー３４４及び第１攪拌スクリュー３４３が回転し、現像容器３４２内の現像剤を攪拌する。このとき、キャリアとトナーとが互いに摩擦しあうことでトナーがマイナスに帯電させられる（正規帯電トナー）。ここで、外添剤が剥がれ落ちたトナーは正規帯電トナーに対して逆の極性（プラス極性）に帯電させられる場合がある（逆帯電トナー）。また、減耗したキャリアによってもトナーが逆帯電させられる可能性がある。
そして、攪拌された現像剤は、第４極３４１ｆによってスリーブ３４１ｂに吸着させられる。このとき、スリーブ３４１ｂ上で磁気ブラシが形成される。そして、現像ローラ３４１のスリーブ３４１ｂの表面に付着した現像剤はスリーブ３４１ｂの回転に伴って感光体ドラム３１と対向する位置に搬送される。
具体的には、先ずスリーブ３４１ｂの第４極３４１ｆに対応した位置に付着した現像剤はスリーブ３４１ｂの第３極３４１ｅに対応した位置に搬送される。このとき、規制部材３４５によってスリーブ３４１ｂ上の現像剤の層厚が規制される。すなわち、スリーブ３４１ｂ上の磁気ブラシの長さが規制される。そして、さらにスリーブ３４１ｂが回転し、スリーブ３４１ｂの第２極３４１ｄに対応した位置に磁気ブラシが搬送される。スリーブ３４１ｂの第２極３４１ｄに対応した位置に磁気ブラシが搬送されると、後に詳述する収集動作によって現像剤から逆帯電したトナー及び紙粉が収集される。
その後、さらにスリーブ３４１ｂが回転し、スリーブ３４１ｂの第２極３４１ｄに対応する位置からスリーブ３４１ｂの第１極３４１ｃに対応する位置に現像剤が搬送される。このとき、図４の（Ａ）の状態から徐々に（Ｅ）の状態に変化する。すなわち、スリーブ３４１ｂの第２極３４１ｄに対応する位置では逆帯電したトナー９１ａはスリーブ３４１ｂから最も遠くに位置しており（図４の（Ａ））、スリーブ３４１ｂの回転に伴って徐々に逆帯電したトナー９１ａがスリーブ３４１ｂ側に近づく（図４の（Ｂ））。そして、逆帯電したトナー９１ａがスリーブ３４１ｂに接触する（図４の（Ｃ））。その後、スリーブ３４１ｂに接触していた正規帯電トナー９１ｂがスリーブ３４１ｂから離れ（図４の（Ｄ））、スリーブ３４１ｂに接触していた正規帯電トナー９１ｂが感光体ドラム３１の近傍に移動する（図４の（Ｅ））。なお、この図４ではトナー搬送に伴う正規帯電トナーの位置と逆帯電トナーの位置を模式的に図示している。そして、図４ではスリーブ３４１ｂの回転に伴って磁気ブラシがどのように移動するかを示すため、スリーブ３４１ｂを平板状に表現している。そして、スリーブ３４１ｂの第２極３４１ｄ等に対応した位置とは、スリーブ３４１ｂの第２極３４１ｄ等に接触している部分を意味している。
第１極３４１ｃに対応した位置に磁気ブラシが搬送される前に、帯電装置３２によって感光体ドラム３１の表面がマイナスに帯電される。そして、スリーブ３４１ｂの第１極３４１ｃに対応した位置に位置している磁気ブラシの先端の正規帯電トナー９１ｂが感光体ドラム３１に移動する。このようにして現像装置３４から感光体ドラム３１にトナーが供給される。
スリーブ３４１ｂ上のトナーが感光体ドラム３１に移動した後、さらにスリーブ３４１ｂが回転させられる。スリーブ３４１ｂの回転に伴って現像剤は第５極３４１ｇに対応した位置に搬送される。その後、スリーブ３４１ｂの更なる回転に伴って、現像剤が現像容器３４２内に搬送される。ここで、第４極３４１ｆと第５極３４１ｇとが同じ磁極であるため、第５極３４１ｇと第４極３４１ｆとの間で反発力が発生する。このため、スリーブの第５極３４１ｇに対応する位置からスリーブ３４１ｂの第４極３４１ｆに対応する位置に移動する際に現像剤がスリーブ３４１ｂから離れる。
［逆帯電したトナーや紙粉を収集する動作及び収集部材から逆帯電したトナーを除去する動作］
スリーブ３４１ｂの回転に伴って現像剤がスリーブ３４１ｂの第２極３４１ｄに対応した位置に搬送させられると、逆帯電（プラス帯電）したトナーや紙粉などを収集する動作が行われる。具体的には、マイナス電源にスイッチが接続され、収集部材３５１にマイナスの電圧が印加される。このため、収集部材３５１には逆帯電したトナーや紙粉が引き付けられる。
【００５７】
画像形成動作が終了すると、収集部材３５１によって収集された逆帯電したトナーが収集部材３５１から除去される。具体的には、先ずプラス電源３５２ａにスイッチ３５２ｃが接続される。収集部材３５１にはプラス電圧が印加され、収集部材３５に付着したトナーや紙粉を収集部材３５１から離反させる。スリーブ３４１ｂの回転とともにスリーブ３４１ｂ上に形成された磁気ブラシが収集部材３５１に吸着されたトナーや紙粉を吸引ダクト３５３の他端側に掃き出す。そして、図示しない吸引装置によって吸引ダクト３５３内にトナー及び紙粉などが吸引され、吸引フィルタ３５３ｃに付着させられる。
【００５８】
［効果］
ここでは、感光体ドラム３１に対向する位置に現像剤が搬送される前に逆帯電したトナーや紙粉などが収集されるため、逆帯電したトナーや紙粉などが感光体ドラム３１に供給されず、画質の低下を防止できる。
また、第１極３４１ｃに隣接して第２極３４１ｄが配置されているため、スリーブ３４１ｂの第２極に対応した位置に現像剤が搬送された際に、収集部材３５１によって収集されずにスリーブ３４１ｂ上に逆帯電したトナー等が残った場合であっても、第１極３４１ｃに搬送される際に感光体ドラム３１から最も遠い位置、すなわちスリーブ３４１ｂ表面に位置するため、感光体ドラム３１に逆帯電のトナー等が供給されるのをさらに防止できる。
【００５９】
ここで、図５に示すように、本複合機１では収集部材３５１を備えているため、感光体ドラム３１に対向する位置に位置する磁気ブラシの先端に正規帯電したトナーが位置しやすくなる。このため、画質の低下を防止できる。なお、図５の実線は収集部材３５１を備えた複合機１に配置された感光体ドラム３１に対向する位置に位置する磁気ブラシの先端に付着するトナーの帯電分布を示す。そして、図５の鎖線は収集部材３５１を備えていない複合機に配置された感光体ドラム３１に対向する位置に位置する磁気ブラシの先端に付着するトナーの帯電分布を示す。この図５の横軸は１００μｍ辺りの電荷量であり、縦軸は比率（％）を示す。
【００６０】
そして、収集部材３５１が磁気ブラシの先端に接触可能な位置に配置されているため、磁気ブラシの先端に位置する逆帯電したトナー等を収集部材３５１に付着させやすくなる。また、収集部材３５１の表面に付着した逆帯電したトナー等を掃き出しやすくなる。
【００６１】
なお、上記実施形態は、本発明を説明するために用いたものであり、発明の範囲を逸脱しない限り、いかなる設計の変更や材料の変更なども許容するものとする。
【００６２】
〔他の実施形態〕
（Ａ）上記実施形態では、トナーを再利用しない方式の装置について説明したが、本発明はこれに限らずに、トナーを再利用する方式の装置であっても良い。具体的には、感光体ドラム３１上のトナーをドラムクリーニング装置３６によってクリーニングし、クリーニングされたトナーを現像装置３４に再び戻す。そして、現像装置３４で再び帯電し、現像に再利用する方式の装置であっても良い。
この場合には、トナーを再利用しない方式の装置よりもトナーが帯電させられる回数が多いため、現像剤が劣化しやすく有効である。
【００６３】
（Ｂ）また、上記実施形態では、５つの磁極を有するローラ部材３４１ａを用いたが、本発明はこれに限らずに、さらに多くの磁極を有するローラ部材３４１ａを用いても良い。例えば、第２極３４１ｄと第３極３４１ｅとの間にＳ極とＮ極とを配置しても良い。
【００６４】
（Ｃ）さらに、上記実施形態では、複合機１について説明したが、本発明はこれに限らず、複写機やプリンターなどであっても良い。
【００６５】
（Ｄ）上記実施形態では、画像形成動作の終了後に収集部材３５１からトナー等を除去する動作を行ったが、本発明はこれに限らずに、非画像形成動作時であればいつでも良い。例えば、ジョブとジョブとの間や、ジョブを待つ状態、画像安定化動作中に行っても良い。
【００６６】
（Ｅ）そして、上記実施形態では除去機構を備えた装置について説明したが、本発明はこれに限らず、収集部材から逆帯電トナーを除去する機構を備えていない装置であってもよい。
【００６７】
（Ｆ）上記実施形態では、正規帯電をマイナス帯電とし、逆帯電をプラス帯電となるような構成を採用したが、本発明はこれに限らず、正規帯電をプラス帯電とし、逆帯電をマイナス帯電となるような構成に適用しても良い。
【図面の簡単な説明】
【００６８】
【図１】本発明の一実施形態にかかる複合機の全体概略断面図。
【図２】現像装置と収集機構との構成を示す図。
【図３】スリーブの表面に現像剤の穂が形成されている状態を示す図。
【図４】スリーブの第１極に対応する位置からスリーブの第２極に対応する位置に現像剤が移動する磁気ブラシの状態を示す図。
【図５】感光体ドラムに供給されるトナーの比率を示す図。
【符号の説明】
【００６９】
１  複合機（画像形成装置）
３１  感光体ドラム（像担持体）
３４  現像装置
３５  収集除去機構
３４１  現像ローラ
３４１ａ  ローラ部材
３４１ｂ  スリーブ
３４１ｃ  第１極
３４１ｄ  第２極
３４１ｅ  第３極
３４１ｆ  第４極
３４１ｇ  第５極
３４２  現像容器
３４５  規制部材
３５１  収集部材
３５２  電圧印加装置
３５３  吸引ダクト（排出ダクト）
【図１】
2009300924.tif 000003
【図２】
2009300924.tif 000004
【図３】
2009300924.tif 000005
【図４】
2009300924.tif 000006
【図５】
2009300924.tif 000007